(57)【特許請求の範囲】
【請求項１】
先端を閉塞した円筒状のガイド筒（１５C ，１５O ）を有するハウジング（１６C1，１６O1）と、ガイド筒（１５C ，１５O ）内の一端側に固定される固定コア（１７C ，１７O ）と、固定コア（１７C ，１７O ）に対向してガイド筒（１５C ，１５O ）内に収納される可動コア（１８C ，１８O ）と、該可動コア（１８C ，１８O ）の固定コア（１７C ，１７O ）に対する近接・離反移動に応じた開閉作動を可能としてハウジング（１６C1，１６O1）内に配設される弁機構（１９C ，１９O ）とをそれぞれ備える複数の弁作動ユニット（１４C1，１４O1）と；
前記ガイド筒（１５C ，１５O ）を突出させて各ハウジング（１６C1，１６O1）をそれぞれ嵌合、固定させる複数の嵌合凹部（３４C ，３４O ）を備える基体（１１）と；
各ガイド筒（１５C ，１５O ）の基体（１１）からの突出部を囲繞するボビン（４８）にそれぞれ巻装される複数のコイル（４９）と；
ガイド筒（１５C ，１５O ）の軸線に沿う前記ボビン（４８）の両側でハウジング（１６C1，１６O1）に磁気的に結合される複数のヨーク（５４）と；を含む電磁弁装置において、
複数のボビン（４８）と各ボビン（４８）に巻装された複数のコイル（４９）とが合成樹脂からなるモールド部（５０）に埋封されて成るコイル組立体（５１）が基体（１１）に結合され、そのコイル組立体（５１）は、各コイル（４９）に対応した複数の円筒部（５１ａ）と、それら円筒部（５１ａ）間を連結する連結部（５１ｂ）とを有しており、各ヨーク（５４，７０）は、コイル組立体（５１）の各円筒部（５１ａ）を同軸に囲繞する円筒状の外筒部（５４ａ）と、その外筒部（５４ａ）の一端から半径方向内方に張り出した連結板部（５４ｂ）と、その連結板部（５４ｂ）の内縁に連なり各ガイド筒（１５C ，１５O ）が嵌合される円筒状の内筒部（５４ｃ）とを有して、ガイド筒（１５C ，１５O ）の軸方向に沿う移動を可能としてコイル組立体（５１，６５）にそれぞれ装着され、外筒部（５４ａ）の他端には、コイル組立体（５１）における円筒部（５１ａ）および連結部（５１ｂ）間の連結部を逃げる切欠き部（５６）が設けられ、コイル組立体（５１，６５）を覆って基体（１１）に結合されるカバー（１２）と各ヨーク（５４）との間に、ヨーク（５４）を基体（１１）側に付勢してハウジング（１６C1，１６O1）あるいは該ハウジング（１６C1，１６O1）と磁気的な結合状態にある磁路形成部材（５５）に該ヨーク（５４，７０）の外筒部（５４ａ）他端を密着させるばね（５９）が設けられることを特徴とする、電磁弁装置。
【請求項２】
先端を閉塞した円筒状のガイド筒（１５C ，１５O ）を有するハウジング（１６C2，１６O2）と、ガイド筒（１５C ，１５O ）内の一端側に固定される固定コア（１７C ，１７O ）と、固定コア（１７C ，１７O ）に対向してガイド筒（１５C ，１５O ）内に収納される可動コア（１８C ，１８O ）と、該可動コア（１８C ，１８O ）の固定コア（１７C ，１７O ）に対する近接・離反移動に応じた開閉作動を可能としてハウジング（１６C2，１６O2）内に配設される弁機構（１９C ，１９O ）とをそれぞれ備える複数の弁作動ユニット（１４C2，１４O2）と；前記ガイド筒（１５C ，１５O ）を突出させて各ハウジング（１６C2，１６O2）をそれぞれ嵌合、固定させる複数の嵌合凹部（３４C ，３４O ）を備える基体（１１）と；各ガイド筒（１５C ，１５O ）の基体（１１）からの突出部を囲繞するボビン（４８）にそれぞれ巻装される複数のコイル（４９）と；ガイド筒（１５C ，１５O ）の軸線に沿う前記ボビン（４８）の両側でハウジング（１６C2，１６O2）に磁気的に結合される複数のヨーク（７０）と；を含む電磁弁装置において、  複数のボビン（４８）と各ボビン（４８）に巻装された複数のコイル（４９）とが合成樹脂から成るモールド部（６６）に埋封されて成るコイル組立体（６５）が基体（１１）に結合され、各ヨーク（７０）は、ガイド筒（１５O ，１５C ）が嵌合する嵌合孔（７１）を有しコイル組立体（６５）の一端に対向する第１平板部（７０ａ）と、同じくガイド筒（１５O ，１５C ）が嵌合する嵌合孔（７２）を有しコイル組立体（６５）の他端に対向する第２平板部（７０ｂ）と、その第１および第２平板部（７０ａ，７０ｂ）間を結ぶ連結板部（７０ｃ）とを備えて縦断面略コ字形に形成されていて、ガイド筒（１５C ，１５O ）の軸方向に沿う移動を可能としてコイル組立体（６５）にそれぞれ装着され、コイル組立体（６５）の一端と各ヨーク（７０）の第１平板部（７０ａ）との間には、ヨーク（７０）を基体（１１）側に付勢してハウジング（１６C2，１６O2）あるいは該ハウジング（１６C2，１６O2）と磁気的な結合状態に在る磁路形成部材に密着させるばね（７４）が設けられることを特徴とする、電磁弁装置。
【発明の詳細な説明】
【０００１】
【産業上の利用分野】
本発明は、先端を閉塞した円筒状のガイド筒を有するハウジングと、ガイド筒内の一端側に固定される固定コアと、固定コアに対向してガイド筒内に収納される可動コアと、該可動コアの固定コアに対する近接・離反移動に応じた開閉作動を可能としてハウジング内に配設される弁機構とをそれぞれ備える複数の弁作動ユニットと；前記ガイド筒を突出させて各ハウジングをそれぞれ嵌合、固定させる複数の嵌合凹部を備える基体と；各ガイド筒の基体からの突出部を囲繞するボビンにそれぞれ巻装される複数のコイルと；ガイド筒の軸線に沿う前記ボビンの両側でハウジングに磁気的に結合される複数のヨークと；を含む電磁弁装置に関する。
【０００２】
【従来の技術】
従来、かかる電磁弁装置は、たとえば実開平５−３２８８７号公報等により既に知られている。
【０００３】
【発明が解決しようとする課題】
ところが上記従来のものでは、コイル組立体とヨークとから成る電磁ユニットを弁作動ユニット毎にユニット化しておき、基体に嵌合、固定させた弁作動ユニットのガイド筒を嵌入させた電磁ユニットが、基体と、ガイド筒に装着された止め輪との間に挟持される構成となっており、基体に複数の弁作動ユニットが配設される場合には、各弁作動ユニット毎に電磁ユニットの組付け作業を行なう必要があり、組立および分解作業が面倒である。しかも基体および止め輪間に電磁ユニットを挟持する構成では、ガイド筒の軸線に沿う電磁ユニットの多少のがたつきは避けられず、ヨークおよび基体間に間隙が生じることにより、効率のよい磁気回路の形成が困難である。
【０００４】
本発明は、かかる事情に鑑みてなされたものであり、弁作動ユニットが複数である場合の組立および分解を容易とするとともに、効率のよい磁気回路の形成を可能とした電磁弁装置を提供することを目的とする。
【０００５】
【課題を解決するための手段】
上記目的を達するために、請求項１記載の発明は、先端を閉塞した円筒状のガイド筒を有するハウジングと、ガイド筒内の一端側に固定される固定コアと、固定コアに対向してガイド筒内に収納される可動コアと、該可動コアの固定コアに対する近接・離反移動に応じた開閉作動を可能としてハウジング内に配設される弁機構とをそれぞれ備える複数の弁作動ユニットと；前記ガイド筒を突出させて各ハウジングをそれぞれ嵌合、固定させる複数の嵌合凹部を備える基体と；各ガイド筒の基体からの突出部を囲繞するボビンにそれぞれ巻装される複数のコイルと；ガイド筒の軸線に沿う前記ボビンの両側でハウジングに磁気的に結合される複数のヨークと；を含む電磁弁装置において、複数のボビンと各ボビンに巻装された複数のコイルとが合成樹脂からなるモールド部に埋封されて成るコイル組立体が基体に結合され、そのコイル組立体は、各コイルに対応した複数の円筒部と、それら円筒部間を連結する連結部とを有しており、各ヨークは、コイル組立体の各円筒部を同軸に囲繞する円筒状の外筒部と、その外筒部の一端から半径方向内方に張り出した連結板部と、その連結板部の内縁に連なり各ガイド筒が嵌合される円筒状の内筒部とを有して、ガイド筒の軸方向に沿う移動を可能としてコイル組立体にそれぞれ装着され、外筒部の他端には、コイル組立体における円筒部および連結部間の連結部を逃げる切欠き部が設けられ、コイル組立体を覆って基体に結合されるカバーと各ヨークとの間に、ヨークを基体側に付勢してハウジングあるいは該ハウジングと磁気的な結合状態にある磁路形成部材に該ヨークの外筒部他端を密着させるばねが設けられることを特徴とする。
【０００６】
また請求項２記載の発明は、先端を閉塞した円筒状のガイド筒を有するハウジングと、ガイド筒内の一端側に固定される固定コアと、固定コアに対向してガイド筒内に収納される可動コアと、該可動コアの固定コアに対する近接・離反移動に応じた開閉作動を可能としてハウジング内に配設される弁機構とをそれぞれ備える複数の弁作動ユニットと；前記ガイド筒を突出させて各ハウジングをそれぞれ嵌合、固定させる複数の嵌合凹部を備える基体と；各ガイド筒の基体からの突出部を囲繞するボビンにそれぞれ巻装される複数のコイルと；ガイド筒の軸線に沿う前記ボビンの両側でハウジングに磁気的に結合される複数のヨークと；を含む電磁弁装置において、複数のボビンと各ボビンに巻装された複数のコイルとが合成樹脂から成るモールド部に埋封されて成るコイル組立体が基体に結合され、各ヨークは、ガイド筒が嵌合する嵌合孔を有しコイル組立体の一端に対向する第１平板部と、同じくガイド筒が嵌合する嵌合孔を有しコイル組立体の他端に対向する第２平板部と、その第１および第２平板部間を結ぶ連結板部とを備えて縦断面略コ字形に形成されていて、ガイド筒の軸方向に沿う移動を可能としてコイル組立体にそれぞれ装着され、コイル組立体の一端と各ヨークの第１平板部との間には、ヨークを基体側に付勢してハウジングあるいは該ハウジングと磁気的な結合状態に在る磁路形成部材に密着させるばねが設けられることを特徴とする。
【０００７】
【作  用】
上記請求項１記載の発明の構成によれば、複数のボビンおよび複数のコイルがユニット化されて成るコイル組立体が基体に結合され、該コイル組立体にヨークが装着されることにより、各弁作動ユニット毎にボビンおよびコイルを組付ける作業が不要であり、しかも複数のヨークと、コイル組立体を覆うカバーとの間に設けられるばねによって各ヨークは、ハウジングに直接、あるいはハウジングと磁気的に結合された磁路形成部材に密着せしめられるものであり、ヨークの安定的な固定ならびに効率的な磁気回路の形成が可能となる。
【０００８】
また上記請求項２記載の発明の構成によれば、複数のボビンおよび複数のコイルがユニット化されて成るコイル組立体が基体に結合され、該コイル組立体にヨークが装着されることにより、各弁作動ユニット毎にボビンおよびコイルを組付ける作業が不要であり、しかも複数のヨークと、コイル組立体との間に設けられるばねによって各ヨークは、ハウジングに直接、あるいはハウジングと磁気的に結合された磁路形成部材に密着せしめられるものであり、ヨークの安定的な固定ならびに効率的な磁気回路の形成が可能となる。
【０００９】
【実施例】
以下、図面により本発明の実施例について説明する。
【００１０】
図１ないし図３は本発明の第１実施例を示すものであり、図１は電磁弁装置の一部切欠き平面図、図２は図１の２−２線拡大断面図、図３はヨークの斜視図である。
【００１１】
先ず図１において、この電磁弁装置は、たとえば四輪車両のアンチロックブレーキ制御装置用として用いられるものであり、ブロック状に形成される金属製の基体１１に、各車輪ブレーキに対応する４つの常開型電磁弁ＶO1，ＶO1…が並列して配設されるとともに、それらの常開型電磁弁ＶO1，ＶO1…と対をなす４つの常閉型電磁弁ＶC1，ＶC1…が常開型電磁弁ＶO1，ＶO1…の配列方向と平行な方向に並列して配設される。しかも基体１１には、合成樹脂によりたとえば矩形の函状に形成されるカバー１２が、各常開型電磁弁ＶO1，ＶO1…および各常閉型電磁弁ＶC1，ＶC1…を覆うようにして、複数たとえば４つのボルト１３，１３…により締着される。
【００１２】
図２を併せて参照して、常開型電磁弁ＶO1は、基体１１に固定的に配設される弁作動ユニット１４O1を備え、該弁作動ユニット１４O1は、先端を閉塞した円筒状のガイド筒１５O を有するハウジング１６O1と、ガイド筒１５O 内の一端側に固定される固定コア１７O と、固定コア１７O に対向してガイド筒１５O 内に収納される可動コア１８O と、該可動コア１８O の固定コア１７O に対する近接・離反移動に応じた開閉作動を可能としてハウジング１６O1内に配設される弁機構１９O とを備える。
【００１３】
ハウジング１６O1は、磁性金属により段付き円筒状に形成されるハウジング主体２０O と、磁性金属により形成されてハウジング主体２０O にかしめ結合されるリング体２１1 と、非磁性材料により薄肉の有底円筒状に形成されるガイド筒１５O とを備え、ガイド筒１５O の開口端は、ハウジング主体２０O とリング体２１1 との間に液密に挟持される。  ガイド筒１５O の開口端部には半径方向外方に張出した鍔部１５ａが一体に設けられる。リング体２１1 はガイド筒１５O の開口端側を同軸に囲繞するリング状に形成され、ハウジング主体２０O にかしめ結合される薄肉円筒部２１ａがリング体２１1 に同軸に設けられる。固定コア１７O は、円筒状にしてハウジング主体２０O に同軸にかつ一体に連設されるものであり、ガイド筒１５O の鍔部１５ａをリング体２１1 およびハウジング主体２０O 間に挟持するようにして薄肉円筒部２１ａがハウジング主体２０O にかしめ結合されたときに、固定コア１７O は、ガイド筒１５O の開口端側に嵌入せしめられる。またリング体２１1 およびガイド筒１５O 間には環状のシール部材２２が介装される。
【００１４】
ガイド筒１５O 内に摺動自在に嵌合された可動コア１８O と固定コア１７O との間には弁室２３O が形成され、弁機構１９O は、該弁室２３O 内に配設される。而して弁機構１９O は、テーパ状の弁座２４を有して固定コア１７O の弁室２３O に臨む端部中央に固着された弁座部材２５と、弁座２４への着座を可能として可動コア１８O の弁室２３O に臨む端部中央に固着される弁体２６とで構成され、弁室２３O 内で固定コア１７O および可動コア１８O 間には、可動コア１８O を固定コア１７O から離反させる方向、すなわち弁体２６を弁座２４から離反させる方向のばね力を発揮する戻しばね２７が縮設される。
【００１５】
弁座部材２５は、弁座２４の中央部に開口する弁孔２８を有するものであり、固定コア１７O およびハウジング主体２０O には、該弁孔２８に同軸に通じる通路２９O が設けられ、ハウジング主体２０O の固定コア１７O とは反対側の端部には、通路２９O の開口端に臨むフィルタ３０O が装着される。またリング体２１1 の薄肉円筒部２１ａとハウジング主体２０O との間には環状路３１O が形成されており、該環状路３１O および弁室２３O 間を連通する連通路３２O が固定コア１７O およびハウジング主体２０O に設けられる。さらにフィルタ３０O および連通路３２O 間でハウジング主体２０O にはチェック弁３３が配設される。
【００１６】
基体１１には、その一面１１ａに開口する嵌合凹部３４O がハウジング１６O1の外面形状に対応した段付きの有底穴として設けられており、弁作動ユニット１４O1のハウジング１６O1は、そのガイド筒１５O を基体１１の一面１１ａから突出させるようにして嵌合凹部３４O に嵌合、固定される。すなわち嵌合凹部３４O に嵌合されるハウジング１６O1と嵌合凹部３４O の底部との間にはウェーブワッシャ３５O が介装され、嵌合凹部３４O の開口端寄り内面にはリング体２１1 に係合する止め輪３６が嵌着される。この際、止め輪３６は、リング体２１1 の外端部に設けられたテーパ面の外縁部に係合されており、このテーパ面は止め輪３６の外れ止め機能を果たす。而して止め輪３６にリング体２１1 を係合させることにより、弁作動ユニット１４O1は、そのリング体２１1 の外端面を基体１１の一面１１ａよりも内方側に位置させた状態で、基体１１に固定されることになる。
【００１７】
またリング体２１1 の外周には嵌合凹部３４O の内面に弾発接触する環状のシール部材３８が装着されるとともに嵌合凹部３４O の内面との間に介装される環状のフィルタ３９が装着され、ハウジング主体２０O の外面には嵌合凹部３４O の内面に弾発接触する環状のシール部材４０O が装着される。またリング体２１1 の外面と嵌合凹部３４O の内面との間には環状室４１O が形成されており、この環状室４１O は、フィルタ３９、ならびにリング体２１1 における薄肉円筒部２１ａに穿設された複数の連通孔４２…を介して環状路３１O に連通される。
【００１８】
常閉型電磁弁ＶC1は、基体１１に固定的に配設される弁作動ユニット１４C1を備え、該弁作動ユニット１４C1は、先端を閉塞した円筒状のガイド筒１５C を有するハウジング１６C1と、ガイド筒１５C 内の一端側に固定される固定コア１７C と、固定コア１７C に対向してガイド筒１５C 内に収納される可動コア１８C と、該可動コア１８C の固定コア１７C に対する近接・離反移動に応じた開閉作動を可能としてハウジング１６C1内に配設される弁機構１９C とを備える。
【００１９】
ハウジング１６C1は、段付き円筒状に形成されるハウジング主体２０C と、磁性金属により形成されてハウジング主体２０C にかしめ結合されるリング体２１1 と、非磁性材料により薄肉の有底円筒状に形成されるガイド筒１５C とを備え、リング体２１1 の薄肉円筒部２１ａがハウジング主体２０C にかしめ結合されたときに、ガイド筒１５C の開口端部に設けられた鍔部１５ａがリング体２１1 およびハウジング主体２０C 間に液密に挟持される。
【００２０】
またガイド筒１５C 内の先端側には固定コア１７C が嵌入されており、ガイド筒１５C をかしめて固定コア１７C に係合することにより固定コア１７C がガイド筒１５C 内で固定される。
【００２１】
可動コア１８C は、固定コア１７C に対向してガイド筒１５C 内に摺動自在に嵌合され、ハウジング主体２０C および可動コア１８C 間には弁室２３C が形成され、弁機構１９C は該弁室２３C 内に配設される。すなわち弁機構１９C は、テーパ状の弁座２４を有してハウジング主体２０C の弁室２３C に臨む端部中央に固着された弁座部材２５と、弁座２４への着座を可能として可動コア１８C の弁室２３C に臨む端部中央に固着される弁体２６とで構成され、固定コア１７C および可動コア１８C 間には、可動コア１８C を固定コア１７C から離反させる方向、すなわち弁体２６を弁座２４に着座させる方向のばね力を発揮する戻しばね２７が縮設される。また可動コア１８C には作動液の流通を許容する複数の流通路４３…が軸方向全長にわたって設けられる。
【００２２】
ハウジング主体２０C には、弁座部材２５の弁孔２８に同軸に通じる通路２９C が設けられ、ハウジング主体２０C の可動コア１８C とは反対側の端部には、通路２９C の開口端に臨むフィルタ３０C が装着される。またリング体２１1 の薄肉円筒部２１ａとハウジング主体２０C との間には環状路３１C が形成されており、該環状路３１C および弁室２３C 間を連通する複数の連通路３２C …がハウジング主体２０C に設けられる。
【００２３】
基体１１には、その一面１１ａに開口する嵌合凹部３４C がハウジング１６C1の外面形状に対応した段付きの有底穴として設けられており、弁作動ユニット１４C1のハウジング１６C1は、嵌合凹部３４C の底部との間にウェーブワッシャ３５C を介装した状態で嵌合凹部３４C に嵌合され、嵌合凹部３４C の開口端寄り内面にはリング体２１1 に係合する止め輪３６が嵌着される。これによりハウジング１６C1は、ガイド筒１５C を基体１１の一面１１ａから突出させるようにして嵌合凹部３４C に嵌合、固定される。
【００２４】
而してハウジング主体２０C の外面には嵌合凹部３４C の内面に弾発接触する環状のシール部材４０C が装着される。またハウジング主体２０C およびリング体２１1 の外面と、嵌合凹部３４C の内面との間には環状室４１C が形成されており、この環状室４１C は、リング体２１1 に装着されたフィルタ３９、ならびに該リング体２１1 の薄肉円筒部２１ａに設けられた複数の連通孔４２…を介して環状路３１C に連通される。
【００２５】
相互に隣接して基体１１に配置される弁作動ユニット１４O1，１４O1…および弁作動ユニット１４C1，１４C1…と基体１１との間に形成される環状室４１O ，４１C 間は、基体１１に設けられた連通路４３…を介して相互に連通され、各連通路４３…は、図示しない車輪ブレーキに通路４４…を介して連通される。また嵌合凹部３４O に同軸に連なる通路４５…が基体１１に設けられ、該通路４５…は図示しないマスタシリンダに連通される。さらに嵌合凹部３４C に同軸に連なる通路４６…が基体１１に設けられ、該通路４６…は図示しないリザーバに連通される。
【００２６】
ところで、各弁作動ユニット１４O1…，１４C1…は、ガイド筒１５O …，１５C …を基体１１の一面１１ａから突出させた状態で基体１１に固定的に配設されるが、各ガイド筒１５O …，１５C …の基体１１からの突出部をそれぞれ嵌入させるようにして、基体１１の一面１１ａにコイル組立体５１が締着される。
【００２７】
このコイル組立体５１は、各ガイド筒１５O …，１５C …の基体１１からの突出部分を個別に囲繞する合成樹脂製のボビン４８…と、それらのボビン４８…にそれぞれ巻装される複数のコイル４９…とが、合成樹脂から成るモールド部５０に埋封されて成るものである。
【００２８】
コイル組立体５１は、ガイド筒１５O …，１５C …を嵌入させる嵌入孔５２をそれぞれ有する複数の円筒部５１ａ，５１ａ…と、弁作動ユニット１４O1，１４O1…の配列位置および弁作動ユニット１４C1，１４C1…の配列位置間で長く延びて各円筒部５１ａ，５１ａ…に連設される連結部５１ｂと、相互に隣接する一対の円筒部５１ａ，５１ａに連なって外方側に延設される４つの結合腕部５１ｃ，５１ｃ…とを備え、各結合腕部５１ｃ，５１ｃ…の先端部がボルト５３，５３…により基体１１の一面１１ａに締着される。而して各嵌入孔５２の内径は、コイル組立体５１を基体１１に締着したときに、各ガイド筒１５O …，１５C …を確実に嵌入させるために、ガイド筒１５O …，１５C …の外径に対して余裕を持った値に設定される。
【００２９】
連結部５１ｂ内には、各コイル４９…に連なる導体（図示せず）が配設されるものであり、連結部５１ｂの一端には前記各導体に連なる端子を臨ませたカプラ５１ｄが一体に設けられる。
【００３０】
各ガイド筒１５C …，１５O …の軸線に沿う各ボビン４８…の両側でハウジング１６O1…，１６C1…に磁気的に結合される複数のヨーク５４…が、各ガイド筒１５O …，１５C …の軸方向に沿う移動を可能としてコイル組立体５１に装着される。
【００３１】
図３を併せて参照して、ヨーク５４は、コイル組立体５１における各円筒部５１ａを同軸に囲繞する円筒状の外筒部５４ａと、該円筒部５４ａの一端から半径方向内方に張り出した連結板部５４ｂと、該連結板部５４ｂの内縁に連なる円筒状の内筒部５４ｃとを有して、磁性金属により形成されるものであり、内筒部５４ｃ内には、ガイド筒１５O あるいは１５C が嵌合される。而してガイド筒１５O あるいは１５C をその外面が内筒部５４ｃの内面に接触するように内筒部５４ｃに確実に嵌合せしめるために、外筒部５４ｂの内径は、コイル組立体５１における各円筒部５１ａの外径に対して余裕を持った値に設定される。
【００３２】
ところで、ヨーク５４における外筒部５４ａの他端は、図２で示すように、ハウジング１６O1，１６C1におけるリング体２１1 に磁気的に結合せしめられた磁路形成部材５５に密着せしめられるものである。すなわちリング体２１1 には、リング板状の磁路形成部材５５が当接されており、該磁路形成部材５５に前記外筒部５４ａの他端が密着せしめられる。而してヨーク５４を磁路形成部材５５に確実に密着せしめるために、ヨーク５４の軸方向長さは、コイル組立体５１における円筒部５１ａの軸方向長さよりも余裕を持って大きく設定される。
【００３３】
さらに外筒部５４ａの他端には、コイル組立体５１における円筒部５１ａおよび連結部５１ｂ間の連結部を配置するための切欠き部５６、ならびに円筒部５１ａから外方に延設される結合腕部５１ｃを配置するための切欠き部５７が設けられる。
【００３４】
カバー１２は、コイル組立体５１を覆って基体１１に結合されるものであり、このカバー１２の側壁には、コイル組立体５１のカプラ５１ｄを臨ませる開口部５８が設けられる。
【００３５】
カバー１２と、各ヨーク５４…との間には、各ヨーク５４…を基体１１側に付勢して磁路形成部材５５…を介してハウジング１６O1…，１６C1…との確実な磁気的結合を果たさせるためのばね５９が設けられる。
【００３６】
このばね５９は、板ばねであり、各弁作動ユニット１４O1…の配列位置ならびに各弁作動ユニット１４C1…の配列位置間でそれらの配列方向に沿って長く延びる平板状の基部５９ａと、各ヨーク５４…側に向けて延びるようにして基部５９ａに連設される複数の腕部５９ｂ，５９ｂ…とから成るものであり、基部５９ａがカバー１２の所定位置に位置決め、係止され、各腕部５９ｂ，５９ｂ…の先端部は、各ヨーク５４…における連結板部５４ｂ…に弾発的に当接せしめられる。すなわち、基部５９ａには、その長手方向中央部に位置する円形の嵌合孔６０と、該嵌合孔６０の両側にそれぞれ位置して略Ｈ字状に形成される一対の係合孔６１，６１とが設けられ、カバー１２には、嵌合孔６０に嵌合せしめられるピン状の突部６２と、両係合孔６１，６１にそれぞれ弾発係合される一対の係止突部６３，６３とが突設される。
【００３７】
次にこの第１実施例の作用について説明すると、各常開型電磁弁ＶO1，ＶO1…では、コイル４９の励磁により、固定コア１７O からガイド筒１５O 、磁路形成部材５５、ヨーク５４、ガイド筒１５O および可動コア１８O を経て固定コア１７O に至る磁束が生じ、可動コア１８O が固定コア１７O 側に吸引されることにより弁体２６が弁座２４に着座して弁孔２８を閉じることになる。また各常閉型電磁弁ＶC1，ＶC1…では、コイル４９の励磁により、固定コア１７C から、ガイド筒１５C 、ヨーク５４、磁路形成部材５５、ガイド筒１５C および可動コア１８C を経て固定コア１７C に至る磁束が生じ、可動コア１８C が固定コア１７C 側に吸引されることにより、弁体２６が弁座２０から離反して弁孔２８を開くことになる。
【００３８】
このような電磁弁装置において、弁作動ユニット１４C1…，１４O1…は、それらのガイド筒１５C …，１５O …を基体１１から突出させて基体１１に嵌合、固定され、各ガイド筒１５C …，１５O …の基体１１からの突出部をそれぞれ囲繞する複数のボビン４８…と、それらのボビン４８…にそれぞれ巻装される複数のコイル４９…とは、コイル組立体５１としてユニット化され、該コイル組立体５１が基体１１に締結される。しかもガイド筒１５O …，１５C …の軸方向に沿うボビン４８…の両側でハウジング１６O1…，１６C1…に磁気的に結合される複数のヨーク５４がコイル組立体５１に装着されるので、各弁作動ユニット毎にボビン、コイルおよびヨークから成るユニットの固定作業を行なっていた従来のものと比べると組付けおよび分解作業が極めて容易となる。
【００３９】
また各ヨーク５４…は、ハウジング１６O1…，１６C1…に磁気的に結合された状態に在る磁路形成部材５５…にばね５９によって密着せしめられるものであり、ハウジング１６O1，１６C1との磁気的結合を安定的に維持して効率のよい磁気回路の形成が可能となる。  しかもばね５９は、板ばねであってカバー１２に位置決め、係止されるものであるので、カバー１２の基体１１への固定作業を行なうだけでばね５９がカバー１２および各ヨーク５４…間に配置されることになり、組付けおよび分解作業がより容易となる。
【００４０】
図４ないし図７は参考例を示すものであり、上記第１実施例に対応する部分には同一の参照符号を付す。
【００４１】
この電磁弁装置は、金属製の基体１１に、４つの常開型電磁弁ＶO2…と、４つの常閉型電磁弁ＶC2…とが並列方向を相互に平行として並設されて成る。而して常開型電磁弁ＶO2は、基体１１に固定的に配設される弁作動ユニット１４O2を備え、また常閉型電磁弁ＶC2は、基体１１に固定的に配設される弁作動ユニット１４C2を備える。
【００４２】
常開型電磁弁ＶO2の弁作動ユニット１４O2は、ガイド筒１５O を有するハウジング１６O2と、ガイド筒１５O 内の一端側に固定される固定コア１７O と、固定コア１７O に対向してガイド筒１５O 内に収納される可動コア１８O と、該可動コア１８O の固定コア１７O に対する近接・離反移動に応じた開閉作動を可能としてハウジング１６O1内に配設される弁機構１９O とを備える。
【００４３】
ハウジング１６O2は、磁性金属により段付き円筒状に形成されるハウジング主体２０O と、ハウジング主体２０O にかしめ結合されるリング体２１2 と、ガイド筒１５O とを備え、ガイド筒１５O の開口端がハウジング主体２０O とリング体２１2 との間に液密に挟持される。
【００４４】
このハウジング１６O2は、そのガイド筒１５O を基体１１の一面１１ａから突出させるようにして基体１１の嵌合凹部３４O に嵌合される。而してハウジング１６O2の嵌合凹部３４O への嵌合状態で、リング体２１2 の外端は基体１１の一面１１ａよりも外方位置に在る。
【００４５】
常閉型電磁弁ＶC2の弁作動ユニット１４C2は、ガイド筒１５C を有するハウジング１６C2と、ガイド筒１５C 内の一端側に固定される固定コア１７C と、固定コア１７C に対向してガイド筒１５C 内に収納される可動コア１８C と、該可動コア１８C の固定コア１７C に対する近接・離反移動に応じた開閉作動を可能としてハウジング１６C2内に配設される弁機構１９C とを備える。
【００４６】
ハウジング１６C2は、ハウジング主体２０C と、ハウジング主体２０C にかしめ結合されるリング体２１2 と、ガイド筒１５C とを備え、ガイド筒１５C の開口端部がリング体２１2 およびハウジング主体２０C 間に液密に挟持される。
【００４７】
このハウジング１６C2は、そのガイド筒１５C を基体１１の一面１１ａから突出させるようにして基体１１の嵌合凹部３４C に嵌合され、その嵌合状態でリング体２１2 の外端は基体１１の一面１１ａよりも外方位置に在る。
【００４８】
基体１１の一面１１ａにはコイル組立体６５が締着される。このコイル組立体６５は、各ガイド筒１５O …，１５C …の基体１１からの突出部分を個別に囲繞する合成樹脂製のボビン４８…と、それらのボビン４８…にそれぞれ巻装される複数のコイル４９…とが、合成樹脂から成るモールド部６６に埋封されて成るものである。
【００４９】
コイル組立体６５は、ガイド筒１５O …，１５C …を嵌入させる複数の嵌入孔６７…を有して矩形のブロック状に構成されるものである。而して該コイル組立体６５におけるモールド部６６の下部には、その両側部に一対ずつの取付け脚部６６ａ，６６ａ…と、幅方向中央部で長手方向に延びる支持脚部６６ｂとが設けられており、取付け脚部６６ａ，６６ａ…および支持脚部６６ｂを基体１１の一面１１ａに当接させた状態で、基体１１の一面１１ａおよびコイル組立体６５間には支持脚部６６ｂの両側に空隙７３，７３が形成される。而してコイル組立６５は、各取付け脚部６６ａ，６６ａ…をボルト６８…により基体１１の一面１１ａに締着させることにより基体１１に結合されることになる。
【００５０】
ところで、コイル組立体６５における各嵌入孔６７…の内径は、コイル組立体６５を基体１１に締着したときに、各ガイド筒１５O …，１５C …を確実に嵌入させるために、ガイド筒１５O …，１５C …の外径に対して余裕を持った値に設定される。またコイル組立体６５には、カバー１２の開口部５８に臨ませるカプラ６５ａが一体に設けられており、各コイル４９…に連なる導体６９（図５参照）に連なる端子がカプラ６５ａ内に配設される。
【００５１】
このコイル組立体６５には、各ガイド筒１５C …，１５O …の軸線に沿う各ボビン４８…の両側でハウジング１６O2…，１６C2…に磁気的に結合される複数のヨーク７０…が、各ガイド筒１５O …，１５C …の軸方向に沿う移動を可能として装着される。
【００５２】
図７に注目して、ヨーク７０は、ハウジング１６O2，１６C2のリング体２１2 およびコイル組立体６５の一端間で空隙７３に配置される第１平板部７０ａと、コイル組立体６５の他端に対向する第２平板部７０ｂと、第１および第２平板部７０ａ，７０ｂ間を結ぶ連結板部７０ｃとを有して、磁性金属により縦断面略「コ」字形に形成される。而して第１および第２平板部７０ａ，７０ｂには、ガイド筒１５O ，１５C をその外面に接触して嵌合せしめる嵌合孔７１，７２が設けられる。而して嵌合孔７１，７２へのガイド筒１５O ，１５C の嵌合を確実なものとするために、第１および第２平板部７０ａ，７０ｂにおける嵌合孔７１，７２の周縁から連結板部７０ｃまでの距離は、コイル組立体６５における嵌入孔６７の周縁からコイル組立体６５の外側面までの距離よりも余裕を持って大きく設定され、コイル組立体６５へのヨーク７０の確実な装着を可能とするために、第１および第２平板部７０ａ，７０ｂ間の距離は嵌入孔６７が設けられている部分でのコイル組立体６５の厚さよりも余裕を持って大きく設定される。
【００５３】
基体１１に締結されるカバー１２と、上記各ヨーク７０…の間には、全てのヨーク７０…に共通なばね５９が設けられており、このばね５９のばね力により、各ヨーク７０…の第１平板部７０ａがハウジング１６O2…，１６C2…のリング体２１2 …に確実に密着せしめられるとともに、ハウジング１６O2…，１６C2…が基体１１に固定されることになる。  この参考例によれば、各ガイド筒１５C …，１５O …の基体１１からの突出部をそれぞれ囲繞する複数のボビン４８…と、それらのボビン４８…にそれぞれ巻装される複数のコイル４９…とがユニット化されたコイル組立体６５が基体１１に締結され、複数のヨーク７０…がコイル組立体６５に装着されるので、第１実施例と同様に、組付けおよび分解作業を容易とすることができ、またヨーク７０のリング体２１2 への確実な密着による効率的な磁気回路の形成が可能となる。しかも各弁作動ユニット１６O2…，１６C2…基体１１に固定する作業も不要であるので、組付けおよび分解作業がより容易となる。
【００５４】
図８および図９は本発明の第２実施例を示すものであり、上記第１実施例および参考例に対応する部分には同一の参照符号を付す。
【００５５】
この電磁弁装置は、金属製の基体１１に、４つの常開型電磁弁ＶO3…と、４つの常閉型電磁弁ＶC3…とが並列方向を相互に平行として並設されて成る。而して常開型電磁弁ＶO3は、基体１１に固定的に配設される弁作動ユニット１４O2を備え、また常閉型電磁弁ＶC3は、基体１１に固定的に配設される弁作動ユニット１４C2を備える。
【００５６】
基体１１の一面１１ａにはコイル組立体６５が締着され、該コイル組立体６５には複数のヨーク７０…が、各ガイド筒１５O …，１５C …の軸方向に沿う移動を可能として装着される。
【００５７】
しかもコイル組立体６５と、各ヨーク７０…の第１平板部７０ａ…との間には、ばね７４…が個別に介在せしめられる。このばね７４…は、図示のように、ウェーブワッシャであってもよく、またコイルばねや板ばねであってもよい。
【００５８】
この第２実施例によれば、各ばね７４…のばね力により、各ヨーク７０…の第１平板部７０ａがハウジング１６O2…，１６C2…のリング体２１2 …に確実に接触せしめられるとともに、ハウジング１６O2…，１６C2…が基体１１に固定されることになる。
【００５９】
以上、本発明の実施例を詳述したが、本発明は上記実施例に限定されるものではなく、特許請求の範囲に記載された本発明を逸脱することなく種々の設計変更を行なうことが可能である。
【００６０】
たとえば、磁性金属で形成した基体にハウジングを磁気的に結合させておき、磁路形成部材としての基体にヨークを密着させるようにしてもよい。
【００６１】
【発明の効果】
以上のように請求項１記載の発明によれば、複数のボビンと各ボビンに巻装された複数のコイルとが合成樹脂から成るモールド部に埋封されて成るコイル組立体が基体に結合され、そのコイル組立体は、各コイルに対応した複数の円筒部と、それら円筒部間を連結する連結部とを有しており、各ヨークは、コイル組立体の各円筒部を同軸に囲繞する円筒状の外筒部と、その外筒部の一端から半径方向内方に張り出した連結板部と、その連結板部の内縁に連なり各ガイド筒が嵌合される円筒状の内筒部とを有して、ガイド筒の軸方向に沿う移動を可能としてコイル組立体にそれぞれ装着され、外筒部の他端には、コイル組立体における円筒部および連結部間の連結部を逃げる切欠き部が設けられ、コイル組立体を覆って基体に結合されるカバーと各ヨークとの間に、ヨークを基体側に付勢してハウジングあるいは該ハウジングと磁気的な結合状態にある磁路形成部材に該ヨークの外筒部他端を密着させるばねが設けられるので、組付けおよび分解作業を容易とすることができ、またヨークのハウジングあるいは磁路形成部材への確実な密着によるヨークの安定的な固定ならびに効率的な磁気回路の形成が可能となる。
【００６２】
また請求項２記載の発明によれば、複数のボビンと各ボビンに巻装された複数のコイルとが合成樹脂から成るモールド部に埋封されて成るコイル組立体が基体に結合され、各ヨークは、ガイド筒が嵌合する嵌合孔を有しコイル組立体の一端に対向する第１平板部と、同じくガイド筒が嵌合する嵌合孔を有しコイル組立体の他端に対向する第２平板部と、その第１および第２平板部間を結ぶ連結板部とを備えて縦断面略コ字形に形成されていて、ガイド筒の軸方向に沿う移動を可能としてコイル組立体にそれぞれ装着され、コイル組立体の一端と各ヨークの第１平板部との間には、ヨークを基体側に付勢してハウジングあるいは該ハウジングと磁気的な結合状態に在る磁路形成部材に密着させるばねが設けられるので、組付けおよび分解作業を容易とすることができ、またヨークのハウジングあるいは磁路形成部材への確実な密着によるヨークの安定的な固定ならびに効率的な磁気回路の形成が可能となる。
【図面の簡単な説明】
【図１】第１実施例の電磁弁装置の一部切欠き平面図である。
【図２】図１の２−２線拡大断面図である。
【図３】ヨークの斜視図である。
【図４】参考例の電磁弁装置の横断平面図である。
【図５】図４の５−５線拡大断面図である。
【図６】図４の６−６線拡大断面図である。
【図７】ヨークの斜視図である。
【図８】第２実施例の電磁弁装置の横断平面図である。
【図９】図８の９−９線拡大断面図である。
【符号の説明】
１１・・・基体
１２・・・カバー
１４C1，１４C2，１４O1，１４O2・・・弁作動ユニット
１５C ，１５O ・・・ガイド筒
１６C1，１６C2，１６O1，１６O2・・・ハウジング
１７C ，１７O ・・・固定コア
１８C ，１８O ・・・可動コア
１９C ，１９O ・・・弁機構
３４C ，３４O ・・・嵌合凹部
４８・・・ボビン
４９・・・コイル
５０，６６・・・モールド部
５１，６５・・・コイル組立体
５４，７０・・・ヨーク
５５・・・磁路形成部材
５９，７４・・・ばね
【図１】
0003592385.tif 000002
【図２】
0003592385.tif 000003
【図３】
0003592385.tif 000004
【図４】
0003592385.tif 000005
【図５】
0003592385.tif 000006
【図６】
0003592385.tif 000007
【図７】
0003592385.tif 000008
【図８】
0003592385.tif 000009
【図９】
0003592385.tif 000010